(57)【要約】【課題】小さい空間に保管しやすいテーブル及びこれを備える電子レンジを提供する。【解決手段】平らに形成されたプレート部と、プレート部から延長される脚部と、プレート部の縁部と前記脚部の縁部を連結する取っ手部と、脚部から延長される支持部材とを含み、プレート部、脚部及び支持部材は電子レンジの外観をなすキャビネットを収容するための空間を形成する。【選択図】        図１
2004181205.tif 000002
【特許請求の範囲】
【請求項１】
キャビネット用テーブルにおいて、
平らに形成されたプレート部と、
前記キャビネットを収容する外形を形成するため、前記プレート部から延長される脚部とを含んでなることを特徴とするキャビネット用テーブル。
【請求項２】
前記プレート部の下面は前記キャビネットの上面に対応し、前記脚部の内側面は前記キャビネットの側面に対応することを特徴とする請求項１に記載のキャビネット用テーブル。
【請求項３】
前記プレート部の下面は前記キャビネットの上面と接触し、前記脚部の内側面は前記キャビネットの側面と接触することを特徴とする請求項１に記載のキャビネット用テーブル。
【請求項４】
前記キャビネット用テーブルは、取っ手部をさらに含むことを特徴とする請求項１に記載のキャビネット用テーブル。
【請求項５】
前記取っ手部は前記プレート部から延長されるフランジからなることを特徴とする請求項４に記載のキャビネット用テーブル。
【請求項６】
前記取っ手部は前記脚部に長く形成された開口からなることを特徴とする請求項４に記載のキャビネット用テーブル。
【請求項７】
前記取っ手部は前記脚部に設けられた空洞からなることを特徴とする請求項４に記載のキャビネット用テーブル。
【請求項８】
前記取っ手部は前記プレートに長く形成された開口からなることを特徴とする請求項４に記載のキャビネット用テーブル。
【請求項９】
前記取っ手部は前記プレート部に設けられた空洞からなることを特徴とする請求項４に記載のキャビネット用テーブル。
【請求項１０】
前記キャビネット用テーブルは、
固定突起を有する支持部材と、
前記突起と結合するように前記脚部に設けられた固定溝とをさらに含むことを特徴とする請求項１に記載のキャビネット用テーブル。
【請求項１１】
前記プレート部の下面は前記キャビネットの上面と接触し、前記脚部の内側面は前記キャビネットの側面と接触することを特徴とする請求項１０に記載のキャビネット用テーブル。
【請求項１２】
前記支持部材の上面は前記キャビネットの下面と接触することを特徴とする請求項１１に記載のキャビネット用テーブル。
【請求項１３】
前記脚部は多数の脚からなることを特徴とする請求項１に記載のキャビネット用テーブル。
【請求項１４】
前記キャビネットは家電製品を収容することを特徴とする請求項１に記載のキャビネット用テーブル。
【請求項１５】
前記家電製品は電子レンジであることを特徴とする請求項１４に記載のキャビネット用テーブル。
【請求項１６】
前記家電製品はテレビ受像機であることを特徴とする請求項１４に記載のキャビネット用テーブル。
【請求項１７】
前記家電製品は冷蔵庫であることを特徴とする請求項１４に記載のキャビネット用テーブル。
【請求項１８】
キャビネット用テーブルにおいて、
平らに形成されたプレート部と、
脚部と、
前記プレート部の縁部と前記脚部の縁部を連結する取っ手部とを含んでなり、
前記プレート部、前記取っ手部、及び前記脚部は前記キャビネットを収容するための外形を形成し、
前記取っ手部は、前記脚部が前記キャビネットの側面部に弾性接触するように、弾性材から製造されることを特徴とするキャビネット用テーブル。
【請求項１９】
前記プレート部と前記脚部も弾性材から製造されることを特徴とする請求項１８に記載のキャビネット用テーブル。
【請求項２０】
前記脚部は多数の脚からなることを特徴とする請求項１８に記載のキャビネット用テーブル。
【請求項２１】
キャビネット用テーブルにおいて、
平らに形成されたプレート部と、
前記プレート部から延長される脚部と、
前記脚部から延長される支持部材とを含んでなり、
前記プレート部、前記脚部、及び前記支持部材は前記キャビネットを収容するための空洞を形成することを特徴とするキャビネット用テーブル。
【請求項２２】
前記脚部は多数の脚からなることを特徴とする請求項２１に記載のキャビネット用テーブル。
【発明の詳細な説明】
【０００１】
【発明の属する技術分野】
本発明は電子レンジに係り、より詳しくは保管の容易なテーブル及びこれを備える電子レンジに関するものである。
【０００２】
【従来の技術】
一般に、テーブルは、その上面に載せられた飲食物などを床面から所定距離だけ離隔させることにより、飲食物などが容易に取れるようにするものである。
【０００３】
このようなテーブルは、飲食物などが載せられるように上面が平らに形成されたプレート部と、該プレート部から下方に所定距離延長され、プレート部が床面から所定距離離隔するようにする脚部とからなる。
【０００４】
ところで、このようなテーブルは、脚部により所定の高さを有するので、プレート部と床面間の空間を活用することができない。
【０００５】
【発明が解決しようとする課題】
したがって、本発明は前記のような従来の問題点を解決するためになされたもので、その目的は小さい空間に保管可能なテーブル及びこれを備える電子レンジを提供することにある。
【０００６】
【課題を解決するための手段】
前記のような目的を達成するため、本発明は、平らに形成されたプレート部と、前記キャビネットを収容する外形を形成するため、前記プレート部から延長される脚部とを含んでなるキャビネット用テーブルを提供する。
【０００７】
前記プレート部の下面は前記キャビネットの上面に対応し、前記脚部の内側面は前記キャビネットの側面に対応し、前記プレート部の下面は前記キャビネットの上面と接触し、前記脚部の内側面は前記キャビネットの側面と接触する。
【０００８】
前記キャビネット用テーブルは、取っ手部をさらに含む。
前記取っ手部は、前記プレート部から延長されるフランジ、前記脚部に長く形成された開口、前記脚部に設けられた空洞、前記プレートに長く形成された開口、又は前記プレート部に設けられた空洞からなる。
【０００９】
前記キャビネット用テーブルは、固定突起を有する支持部材と、前記突起と結合するように前記脚部に設けられた固定溝とをさらに含む。
【００１０】
前記プレート部の下面は前記キャビネットの上面と接触し、前記脚部の内側面は前記キャビネットの側面と接触し、前記支持部材の上面は前記キャビネットの下面と接触する。
前記脚部は多数の脚からなる。
【００１１】
前記キャビネットは家電製品を収容する。
前記家電製品は電子レンジ、テレビ受像機、又は冷蔵庫である。
【００１２】
また、本発明は、平らに形成されたプレート部と、脚部と、前記プレート部の縁部と前記脚部の縁部を連結する取っ手部とを含んでなり、前記プレート部、前記取っ手部、及び前記脚部は前記キャビネットを収容するための外形を形成し、前記取っ手部は、前記脚部が前記キャビネットの側面部に弾性接触するように、弾性材から製造されるキャビネット用テーブルを提供する。
【００１３】
前記プレート部と前記脚部も弾性材から製造される。
前記脚部は多数の脚からなる。
【００１４】
また、本発明は、平らに形成されたプレート部と、前記プレート部から延長される脚部と、前記脚部から延長される支持部材とを含んでなり、前記プレート部、前記脚部、及び前記支持部材は前記キャビネットを収容するための空洞を形成するキャビネット用テーブルを提供する。
前記脚部は多数の脚からなる。
【００１５】
【発明の実施の形態】
以下、本発明の好ましい実施形態を添付図面に基づいて詳細に説明する。
図１に示すように、本発明によるテーブル１０は、飲食物などが載せられるように上面が平らに形成されたプレート部１１と、該プレート部１１の両端から下方に延設された一対の脚部１２とを含んでなる。したがって、プレート部１１が脚部１２により、テーブル１０が置かれた床面から所定距離だけ離隔するので、プレート部１１上に載せられた飲食物などが容易に取れることになる。
【００１６】
本発明の一実施形態において、プレート部１１の両側と脚部１２間には、使用者がテーブル１０を容易に握るように、取っ手部１３が突設されている。本発明のほかの実施形態（図示せず）において、前記取っ手部１３は脚部１２に形成された通孔である。本発明のさらにほかの実施形態（図示せず）において、前記取っ手部１３は前記脚部１２に形成された空洞である。本発明のさらにほかの実施形態（図示せず）において、前記取っ手部１３はプレート部１１に形成された通孔である。本発明のさらにほかの実施形態（図示せず）において、前記取っ手部１３は前記プレート部１１に形成された空洞である。
【００１７】
本発明によるテーブル１０は多様な家電製品のキャビネット２１の外側に装着できる。この家電製品には、テレビ受像機、冷蔵庫、トースター、トースターオーブン、対流式オーブン、ＶＣＲ、ＤＶＤプレイヤー、時計、ラジオ、ステレオ装置、電子レンジと、略六面体状のキャビネットを有するそのほかの家電製品が含まれる。以下には電子レンジ２０に適用する実施形態を説明する。
【００１８】
電子レンジ２０はその内部に設けられたマグネトロン（図示せず）から発生される高周波を用いて飲食物を調理するか又は暖めるもので、飲食物に含有された水分の分子配列を繰り返して変化させることにより発生する分子間の摩擦熱により飲食物の調理を行うようになっている。
【００１９】
このような電子レンジ２０は、略六面体状の外観をなすキャビネット２１の内部に、調理物を収納して調理を行う調理室（図示せず）と、マグネトロンなどの電装品が設けられる電装室（図示せず）とが画成されている。
【００２０】
このような電子レンジ２０のキャビネット２１の前面には、一側にドア２２がヒンジで結合され、調理室を開閉するようになっており、他側には、各種の操作ボタンが設けられ、電子レンジ２０の機能を必要に応じて制御し得るようにする制御盤２３が設けられている。
【００２１】
このような電子レンジ２０のキャビネット２１には、前述したように、テーブル１０が着脱可能に装着される。前記テーブル１０は、前記電子レンジ２０の外観をなすキャビネット２１に着脱できるように、プレート部１１の下面と脚部１２の内側面がキャビネット２１の上面及び側面に相応する形状を有するように形成される。
【００２２】
プレート部１１の下面は、キャビネット２１の上面に支持されるように、キャビネット２１の上面に相応する平面状に形成され、二つの脚部１２間の距離はキャビネット２１の幅に相応するようになっている。テーブル１０がキャビネット２１の外側面に装着されると、プレート１１の下面はキャビネット２１の上面に支持され、脚部１２の内側面はキャビネット２１の側面に支持される。
【００２３】
一実施形態において、前記取っ手部１２は、脚部１２がキャビネット２１の側面に弾性接触するように弾性材から製造される。この取っ手部１３は、使用者が取っ手部１３を少し曲げて脚部１２をキャビネット２１の側面から広げることにより、テーブル１０がキャビネット２１から分離されるようにする。ほかの実施形態において、プレート部１１、脚部１２、及び取っ手部１３は全て弾性材から製造される。
【００２４】
テーブル１０がキャビネット２１に装着された後、テーブル１０がキャビネット２１の上面及び側面に沿って前後に遊動する可能性がある。よって、この現象を防止するため、本発明は支持部材３０を設ける。
【００２５】
前記支持部材３０は、電子レンジ２０がその上面に載せられるように、板状に形成され、その両側には、テーブル１０の脚部１２の下端を支持するために突出した固定突起３１が設けられる。テーブル１０の脚部１２の下端には、前記固定突起３１に対応する固定溝１４が設けられる。
【００２６】
したがって、テーブル１０がキャビネット２１に装着され、キャビネット２１がテーブル１０の両脚部１２間に嵌合されると、両脚部１２の下端に設けられた固定溝１４に支持部材３０の固定突起３１が結合されるので、テーブル１０が電子レンジ２０に対して前後に遊動することを防止することができる。この際、支持部材３０は、電子レンジ２０の重量により、その遊動が防止される。
【００２７】
前述したように、本実施形態は家電製品として電子レンジ２０を例として説明したが、これに限定されず、テレビ受像機、冷蔵庫など、略六面体状のキャビネットを有する多様な家電製品にも適用することができる。
【００２８】
以下、このような本発明によるテーブル及びこれを備える電子レンジの動作及び作用効果を図１及び図２に基づいて詳細に説明する。
使用者がテーブル１０を電子レンジ２０から分離して使用しようとする場合、テーブル１０の取っ手部１３を握り、上方に持ち上げると、固定溝１４が固定突起３１から離脱して、テーブル１０がキャビネット２１から分離される。したがって、分離されたテーブル１０に飲食物などを載せて用いることができる。
【００２９】
テーブル１０を使用した後、保管しようとする場合、テーブル１０を電子レンジ２０のキャビネット２１に装着すると、図２に示すように、テーブル１０のプレート部１１の下面はキャビネット２１の上面に支持され、両脚部１２はキャビネット２１の両側面に支持される。この際、テーブル１０の脚部１２の下端に設けられた固定溝１４には前記支持部材３０の固定突起３１が挿入結合されるので、テーブル１０の遊動が防止される。
【００３０】
【発明の効果】
以上説明したように、本発明によるテーブル及びこれを備える電子レンジは、テーブルの下部空間を、電子レンジ２０を収容するように効果的に活用することができる。
【００３１】
また、テーブルが電子レンジのキャビネットの外側面を取り囲んでいるので、テーブルを交替することで、電子レンジの色相及びデザインを簡単に変更することができる。
【図面の簡単な説明】
【図１】本発明によるテーブル及びこれを備える電子レンジの分解状態を示す斜視図である。
【図２】図１のテーブル及びこれを備える電子レンジの組合状態を示す斜視図である。
【符号の説明】
１０  テーブル
１１  プレート部
１２  脚部
１３  取っ手部
１４  固定溝
２０  電子レンジ
２１  キャビネット
２２  ドア
２３  制御盤
３０  支持部材
３１  固定突起
【図１】
2004181205.tif 000003
【図２】
2004181205.tif 000004